(57)【要約】【課題】天板の運搬時や保管時の落下や衝撃に対して天板本体の損傷を防止できる梱包装置を提供する。【解決手段】長尺の板状に形成された天板本体１２を有する天板１１を梱包する梱包装置１において、天板１１を収容する筐体部２と、筐体部２の底面に設置され天板本体１２が載置される第１支持部材（支持部材）３と、有し、第１支持部材３は、長尺に形成され、幅方向（天板本体１２の長手方向）に延びる向きで、前後方向（天板本体１２の短手方向）の少なくとも一方の縁部に沿って配置されている。【選択図】図３
2018165165.tif 000002
【特許請求の範囲】
【請求項１】
長尺の板状に形成された天板本体を有する天板を梱包する梱包装置において、
前記天板を収容する筐体部と、
前記筐体部の底面に設置され前記天板本体が載置される支持部材と、有し、
前記支持部材は、長尺に形成され、前記天板本体の長手方向に延びる向きで、前記天板本体の短手方向の少なくとも一方の縁部に沿って配置されていることを特徴とする梱包装置。
【請求項２】
前記支持部材は、前記長手方向に延びて前記長手方向に直交する断面形状が三角形に形成された本体部を有し、
前記本体部は、前記三角形の１つの辺に対応する底面が前記筐体部の底面と面接触するように配置され、前記三角形の他の２つの辺に対応する２つの側面が形成する角部が上側に向かって突出し、前記角部の上に前記天板本体が載置されている請求項１に記載の梱包装置。
【請求項３】
前記天板本体は、上板部と、前記上板部の裏面に貼着され前記上板部を補強する芯材と、を有し、
前記支持部材は、前記芯材と当接するように配置されている請求項１又は２に記載の梱包装置。
【請求項４】
前記支持部材は、前記長手方向の長さ寸法が前記天板本体の前記長手方向の長さ寸法以上となるように形成されている請求項１乃至３のいずれか一項に記載の梱包装置。
【請求項５】
前記支持部材は、前記天板本体の前記短手方向の両縁部それぞれに沿って配置されている請求項１乃至４のいずれか一項に記載の梱包装置。
【発明の詳細な説明】
【技術分野】
【０００１】
本発明は、梱包装置に関する。
【背景技術】
【０００２】
従来、板状の天板本体にシンクが取り付けられたシンク付天板などの天板は、運搬時や保管時に外部からの衝撃や埃などから保護するために梱包装置に梱包されている（例えば、特許文献１および２参照）。このような梱包装置は、例えば、天板の縁部を緩衝材で覆い、天板および緩衝材を筐体に収容したりシートなどで覆ったりするように構成されている。
また、梱包装置には、天板本体を下側から支持する支持部材が設けられることがある。天板本体が長尺に形成されている場合、支持部材は、例えば、板状や棒状の発泡スチロールや筒状や箱状の段ボールなどの天板本体の短手方向に延びる部材で、天板本体の長手方向に間隔をあけて複数設置されている。
【先行技術文献】
【特許文献】
【０００３】
【特許文献１】特開２００４−１０６９２６号公報
【特許文献２】特開平１１−３１０２６８号公報
【発明の概要】
【発明が解決しようとする課題】
【０００４】
支持部材は、天板本体の長手方向に間隔をあけて配置されているため、支持部材間において天板本体に撓みが生じ、この撓みがひびや亀裂などの損傷の原因となる虞がある。
このため、天板本体の撓みを防止して天板本体の損傷を防止できる梱包装置が望まれている。特に、天板本体に大きな撓みによる割れを引き起こしやすい材料を用いた場合や、天板本体の形状が繊細で欠損を起こす可能性のある場合などに、天板本体の損傷を防止できる梱包装置が望まれている。
【０００５】
本発明は、天板の運搬時や保管時の落下や衝撃に対して天板本体の損傷を防止できる梱包装置を提供することを目的とする。
【課題を解決するための手段】
【０００６】
上記目的を達成するため、本発明に係る梱包装置は、長尺の板状に形成された天板本体を有する天板を梱包する梱包装置において、前記天板を収容する筐体部と、前記筐体部の底面に設置され前記天板本体が載置される支持部材と、有し、前記支持部材は、長尺に形成され、前記天板本体の長手方向に延びる向きで、前記天板本体の短手方向の少なくとも一方の縁部に沿って配置されていることを特徴とする。
【０００７】
本発明では、天板本体を下側から支持する支持部材が天板本体の長手方向に延びる向きに配置されているため、天板本体が撓むことによって生じるひびや亀裂を防止することができる。
また、天板本体の中でも天板本体の短手方向の端部に長手方向に沿って形成される前垂れ部分などが損傷しやすいが、本発明では支持部材が天板本体の短手方向の少なくとも一方の縁部に沿って配置されていることによって、天板本体における短手方向の端部の損傷を防止することができる。
本発明では、天板本体は、長尺の板状に形成された部材を示し、天板は、少なくとも天板本体を有する部材を示している。天板には、天板本体のみで構成された天板や、天板本体に他の部材が取り付けられた天板の両方が含まれている。
【０００８】
また、本発明に係る梱包装置では、前記支持部材は、前記長手方向に延びて前記長手方向に直交する断面形状が三角形に形成された本体部を有し、前記本体部は、前記三角形の１つの辺に対応する底面が前記筐体部の底面と面接触するように配置され、前記三角形の他の２つの辺に対応する２つの側面が形成する角部が上側に向かって突出し、前記角部の上に前記天板本体が載置されていてもよい。
このような構成とすることにより、支持部材は、角部によって天板本体を長さ方向に延びる線状に支持することができる。また、支持部材は、本体部の底面が筐体部の底面と面接触するように配置されることにより、筐体部の内部に安定して配置された状態で天板を確実に支持することができる。このように支持部材が安定した状態で天板本体を長さ方向に延びる線状に支持することができるため、天板本体の撓みが確実に防止され、天板本体の損傷を防止することができる。
さらに、段ボール板などを断面形状が三角形となるように折り曲げることで支持部材を容易に形成することができる。
【０００９】
また、本発明に係る梱包装置では、前記天板本体は、上板部と、前記上板部の裏面に貼着され前記上板部を補強する芯材と、を有し、前記支持部材は、前記芯材と当接するように配置されていてもよい。
このような構成とすることにより、支持部材から天板本体に伝達する衝撃を芯材に伝達することができる。このため、上板部には支持部材からの衝撃が直接伝達せず、支持部材から伝達する衝撃による上板部の損傷を防止することができる。
特に、上板部が例えばセラミックなどの大きな撓みによる割れが比較的生じやすい材料で形成されている場合に、上板部の損傷を効率的に防止することができる。
【００１０】
また、本発明に係る梱包装置では、前記支持部材は、前記長手方向の長さ寸法が前記天板本体の前記長手方向の長さ寸法以上となるように形成されていてもよい。
このような構成とすることにより、支持部材が天板本体を長手方向全体から支持することができる。このため、天板本体の撓みを確実に防止することができ、天板本体の損傷を防止することができる。
【００１１】
また、本発明に係る梱包装置では、前記支持部材は、前記天板本体の前記短手方向の両縁部それぞれに沿って配置されていてもよい。
このような構成とすることにより、天板本体の短手方向の両縁部が支持部材に支持されるため、天板本体の短手方向の両縁部それぞれにおいて天板本体の撓みを確実に防止することができ、天板本体の損傷を防止することができる。
【発明の効果】
【００１２】
本発明によれば、運搬時や保管時の落下や衝撃に対して天板本体の損傷を防止できる。
【図面の簡単な説明】
【００１３】
【図１】本発明の実施形態による梱包部材の一例を示す平面図で、天板の上側の部材を省略した図である。
【図２】図１のＡ−Ａ線断面図である。
【図３】図１のＡ−Ａ線断面に対応する天板の上側の部材も示した梱包部材の断面図である。
【図４】図３のＢ−Ｂ線断面に対応する断面図である。
【図５】梱包部材の天板よりも下側に配置される部材を示す平面図である。
【図６】第１支持部材の斜視図である。
【図７】パッド部材を説明する図である。
【図８】第１桟部材および第２桟部材を説明する図である。
【発明を実施するための形態】
【００１４】
以下、本発明の実施形態による梱包装置について、図１乃至図８に基づいて説明する。
図１および図２に示すように、本実施形態による梱包装置１は、キッチンに設けられる天板１１を梱包するためのものである。
天板１１は、天板本体１２と、天板本体１２に取り付けられたシンク１３と、を有している。天板本体１２は、長尺に形成されている。天板本体１２の長手方向を幅方向とし、短手方向を前後方向とする。前後方向のうち、キッチンを使用する際に使用者と対向する側を前側とし、その反対側を後側とする。
【００１５】
天板本体１２は、上板部１２１と、上板部１２１の裏面に貼着され上板部１２１を補強する芯材１２２と、を有している。
芯材１２２は、例えば、木材などで板状に形成され、板面が略水平面となるように配置されている。
上板部１２１は、例えば、セラミックや人造大理石などで形成され、芯材１２２の上面および前端面を覆うように配置されている。上板部１２１の上面は、作業面となっている。
【００１６】
本実施形態では、天板本体１２には、前縁部分にその後側の部分と比べて下側に延びる前垂れ部１２３が形成されている。天板本体１２の前垂れ部１２３よりも後側部分は、平板状に形成されている。天板本体１２の前垂れ部１２３よりも後側部分を平板部１２４とする。
平板部１２４には、幅方向の一方側にシンク１３が取り付けられるシンク用開口部１２５が形成され、幅方向の他方側にコンロが取り付けられるコンロ用開口部１２６形成されている。
前垂れ部１２３および平板部１２４は、それぞれ芯材１２２および上板部１２１を有している。平板部１２４は、芯材１２２の上側に上板部１２１が配置されている。前垂れ部１２３は、芯材１２２の上側および前側に上板部１２１が配置されている。前垂れ部１２３の芯材１２２と平板部１２４の芯材１２２とは一体に形成され、前垂れ部１２３の上板部１２１と平板部１２４の上板部１２１とは一体に形成されている。
【００１７】
シンク１３は、例えばステンレスまたは人造大理石などで形成され、シンク用開口部１２５に取り付けられている。シンク１３は、天板本体１２の平板部１２４および前垂れ部１２３よりも下側に突出している。
なお、天板１１は、梱包装置１に梱包される際にはコンロは取り付けられていない状態となっている。
【００１８】
図１乃至図４に示すように、梱包装置１は、筐体部２と、筐体部２の内部の底面に配置されて天板１１が載置される第１支持部材（支持部材）３および第２支持部材４と、筐体部２の内部において天板１１の上側に載置されるパッド部材５と、筐体部２の内部においてパッド部材５の上側に載置される第１桟部材６および第２桟部材７と、筐体部２を外側から固定するバンド部材（不図示）と、を有している。
【００１９】
筐体部２は、長尺の直方体状となる筐体本体２１と、筐体本体２１の内部に敷かれる敷きパッド２２と、筐体本体２１の内部に配置される補強板２３、シンク側防塵パッド２４と、を有している。
【００２０】
筐体本体２１は、所謂Ａ式箱の段ボール箱で、上下方向に開口する角筒状の筒状部２５と、筒状部２５の下側に設けられた下側開閉部２６と、筒状部２５の上側に設けられた上側開閉部２７と、を有している。
筒状部２５は、それぞれ幅方向に延びる平板状に形成され前後方向に間隔をあけて対向する一対の第１側板部２５１と、それぞれ前後方向に延びる平板状に形成され幅方向に間隔をあけて対向する一対の第２側板部２５２と、を有している。
一対の第１側板部２５１は、一対の第２側板部２５２よりも延在方向（延びる方向）に長く形成されている。第１側板部２５１の延在方向の縁部が第２側板部２５２の延在方向の縁部と連続している。
【００２１】
下側開閉部２６は、一対の第１側板部２５１それぞれの下側に接続された平板状の第１下側フラップ２６１と、一対の第２側板部２５２それぞれの下側に接続された平板状の第２下側フラップ２６２と、を有している。第１下側フラップ２６１と第２下側フラップ２６２とは、筒状部２５と近接離間する方向の寸法が略同じ寸法に形成されている。
一対の第１下側フラップ２６１の上側に一対の第２下側フラップ２６２が配置されている。一対の第２下側フラップ２６２は幅方向に間隔をあけて配置されている。
【００２２】
上側開閉部２７は、一対の第１側板部２５１それぞれの上側に接続された平板状の第１上側フラップ２７１と、一対の第２側板部２５２それぞれの上側に接続された平板状の第２上側フラップ２７２と、を有している。第１上側フラップ２７１と第２上側フラップ２７２とは、筒状部２５と近接離間する方向の寸法が略同じ寸法に形成されている。
一対の第１上側フラップ２７１の下側に一対の第２上側フラップ２７２が配置されている。
【００２３】
敷きパッド２２は、平板状の段ボールで形成され一対の第２下側フラップ２６２の間に嵌め込まれている。敷きパッド２２は、第１下側フラップ２６１と第２下側フラップ２６２との段差を埋めるために設けられている。敷きパッド２２は、粘着テープなどで第２下側フラップ２６２に固定されている。
補強板２３は、平板状の段ボールで形成され、筒状部２５の一対の第１側板部２５１それぞれの内側に重なるように配置されている。補強板２３は、第１側板部２５１と略同じ板面に形成されている。
【００２４】
シンク側防塵パッド２４は、段ボールを断面形状がハット状となるよう形成した部材で、筒状部２５の幅方向の一方側の第２側板部２５２の内面に沿って配置されている。防塵パッドは、幅方向の一方側に開口するほぼＣ字形状の本体部２４１と、本体部２４１の前縁部から前側に延びる前側固定部２４２と、本体部２４１の後縁部から後側に延びる後側固定部２４３と、を有している。シンク側防塵パッド２４は、前側固定部２４２および後側固定部２４３が幅方向の一方側の第２側板部２５２と当接するように設けられている。
【００２５】
第１支持部材３は、筐体本体２１の内部における幅方向全体にわたるように延びる部材で、一対の第１側板部２５１それぞれに沿って配置されている。第１支持部材３は、平板状の段ボールを折り曲げて粘着テープなどで固定されて形成されている。
前側の第１側板部２５１に沿って配置される第１支持部材３を前側第１支持部材３１とし、後側の第１側板部２５１に沿って配置される第１支持部材３を後側第１支持部材３２とする。
【００２６】
図３および図６に示すように、前側第１支持部材３１は、筐体本体２１の底部に沿って配置される底板部３３と、底板部３３の後縁部から上側に延びる第１縦板部３４と、第１縦板部３４の上縁部から前側に向かって漸次下側に向かう斜め方向に延びる第２縦板部３５と、底板部３３の前縁部から上側に延びる第３縦板部３６と、を有している。
第２縦板部３５は、下端部が底板部３３と第３縦板部３６との境界部分と当接して接続されている。
底板部３３、第１縦板部３４および第２縦板部３５は、幅方向に直交する面による断面形状（前後方向に沿った断面形状）が略三角形状に形成されていて第１縦板部３４と第２縦板部３５とがなす角部３７が上側に尖っている。底板部３３、第１縦板部３４および第２縦板部３５を本体部３８とする。
【００２７】
前側第１支持部材３１は、第３縦板部３６の前側の面が前側の第１側板部２５１の後側の面と当接するように配置されている。第３縦板部３６の下端部は、第１側板部２５１の下端部と略同じ高さに配置され、第３縦板部３６の上端部は、第１側板部２５１の上端部と略同じ高さに配置されている。
第１縦板部３４の上部側と第２縦板部３５の上部側とは、上側に尖った角部３７を形成している、角部３７は、第３縦板部３６の後側に離間して配置され、第３縦板部３６の上端部よりも下側に配置されている。
【００２８】
後側第１支持部材３２は、筐体本体２１の底部に沿って配置される底板部３３と、底板部３３の前縁部から上側に延びる第１縦板部３４と、第１縦板部３４の上縁部から後側に向かって漸次下側に向かう斜め方向に延びる第２縦板部３５と、底板部３３の後縁部から上側に延びる第３縦板部３６と、を有している。
第２縦板部３５は、下端部が底板部３３と第３縦板部３６との境界部分と当接して接続されている。底板部３３、第１縦板部３４および第２縦板部３５は、幅方向に直交する面による断面形状が略三角形状に形成されていて第１縦板部３４と第２縦板部３５とがなす角部３７が上側に尖っている。底板部３３、第１縦板部３４および第２縦板部３５を本体部３８とする。
【００２９】
後側第１支持部材３２は、第３縦板部３６の後側の面が後側の第１側板部２５１の前側の面と当接するように配置されている。第３縦板部３６の下端部は、第１側板部２５１の下端部と略同じ高さに配置され、第３縦板部３６の上端部は、第１側板部２５１の上端部と略同じ高さに配置されている。
第１縦板部３４の上部側と第２縦板部３５の上部側とは、上側に尖った角部３７を形成している、角部３７は、第３縦板部３６の前側に離間して配置され、第３縦板部３６の上端部よりも下側に配置されている。
本実施形態では、後側第１支持部材３２の角部３７が前側第１支持部材３１の角部３７よりも上側に配置されている。
前側第１支持部材３１および後側第１支持部材３２は、粘着テープなどで筐体本体２１や補強版などに貼りつけられている。
【００３０】
図２乃至図５に示すように、第２支持部材４は、前側第１支持部材３１と、後側第１支持部材３２との間において前後方向全体に延びる部材で、前端部が前側第１支持部材３１と当接し、後端部が後側第１支持部材３２と当接している。第２支持部材４は、筒状や箱状に形成された段ボールで構成されている。
第２支持部材４は、シンク１３が干渉しない位置に幅方向に間隔をあけて複数設けられている。第２支持部材４は、上端部の高さが後側第１支持部材３２の角部３７の高さと略同じ高さとなるように形成されている。
第２支持部材４は、粘着テープなどで筐体本体２１に貼りつけられている。
【００３１】
第２支持部材４は、前側第１支持部材３１および後側第１支持部材３２を互いに離間する方向に付勢している。これにより、前側第１支持部材３１および後側第１支持部材３２が第１側板部２５１に押し付けられるとともに、その反力によって第２支持部材４が前側第１支持部材３１および後側第１支持部材３２挟まれるため、前側第１支持部材３１、後側第１支持部材３２および第２支持部材４が筐体部２の内部で容易に動かないように構成されている。
【００３２】
前側第１支持部材３１、後側第１支持部材３２および第２支持部材４の上側には、天板１１が載置されるように構成されている。前側第１支持部材３１、後側第１支持部材３２および第２支持部材４の上側に天板１１が載置されると、前側第１支持部材３１の角部３７が天板本体１２の前垂れ部１２３の下端面と当接し、後側第１支持部材３２の角部３７および第２支持部材４の上端部が天板本体１２の平板部１２４の下面と当接している。後側第１支持部材３２の角部３７は、天板本体１２の後縁部近傍において天板本体１２の下面と当接している。なお、シンク１３は、前側第１支持部材３１と後側第１支持部材３２との間で、第２支持部材４が設けられていない部分に配置されている。
【００３３】
本実施形態では、前側第１支持部材３１の角部３７は前垂れ部１２３の芯材１２２と当接し、後側第１支持部材３２の角部３７は平板部１２４の芯材１２２と当接している。天板本体１２の前端面は、前側第１支持部材３１の第３縦板部３６と間隔をあけて対向している。天板本体１２の後端面は、後側第１支持部の第３縦板部３６と間隔をあけて対向している。
天板本体１２の幅方向の一方側の端面は、筐体本体２１の幅方向一方側の第２側板部２５２の側方に間隔をあけて配置されている。天板本体１２の幅方向の他方側の端面は、筐体本体２１の幅方向の他方側の第２側板部２５２と離間して対向している。本実施形態では、筐体本体２１の幅方向の他方側の第２側板部２５２に、前側第１支持部材３１と後側第１支持部材３２とに挟まれるようにしコンロ側パッド２８が設けられている。なお、天板本体１２の幅方向の他方側の端面は、コンロ側パッド２８とも離間している。
天板本体１２の上面は、筐体本体２１の第１側板部２５１および第２側板部２５２の上端部よりも下側に配置されている。
【００３４】
図３、図４および図７に示すように、パッド部材５は、３つ設けられていて幅方向に間隔をあけて配列されている。幅方向の一方側に配置される第１パッド部材５１と、幅方向の他方側に配置される第２パッド部材５２と、幅方向の中間部に配置される第３パッド部材５３とする。
第１パッド部材５１は、天板本体１２の上側を覆う板部５４と、板部５４の下面における前端部分から下側に突出する第１突出部５５と、板部５４の下面における後端部分から下側に突出する第２突出部５６と、板部５４の下面における幅方向の一方側の端部分から下側に突出する第３突出部５７と、を有している。板部５４は、平板状の段ボールなどで構成されている。第１〜第３突出部５５〜５７は、板部５４に張り付けられた角棒状の発泡スチロールなどで構成されている。第１突出部５５および第２突出部５６は、幅方向に延びていて、第３突出部５７が前後方向に延びている。
【００３５】
第２パッド部材５２は、第１パッド部材５１と幅方向に対称に形成されている、第２パッド部材５２は、天板本体１２の上側を覆う板部５４と、板部５４の下面における前端部分から下側に突出する第１突出部５５と、板部５４の下面における後端部分から下側に突出する第２突出部５６と、板部５４の下面における幅方向の他方側の端部分から下側に突出する第３突出部５７と、を有している。板部５４は、平板状の段ボールなどで構成されている。第１〜第３突出部５５〜５７は、板部５４に張り付けられた角棒状の発泡スチロールなどで構成されている。第１突出部５５および第２突出部５６は、幅方向に延びていて、第３突出部５７が前後方向に延びている。
【００３６】
第３パッド部材５３は、天板本体１２の上側を覆う板部５４と、板部５４の下面における前端部分から下側に突出する第１突出部５５と、板部５４の下面における後端部分から下側に突出する第２突出部５６と、を有している。板部５４は、平板状の段ボールなどで構成されている。第１突出部５５および第２突出部５６は、板部５４に張り付けられた角棒状の発泡スチロールなどで構成されている。第１突出部５５および第２突出部５６は、幅方向に延びている。
【００３７】
第１パッド部材５１は、板部５４が天板本体１２の上側に配置され、第１突出部５５が天板本体１２と前側第１支持部材３１の第３縦板部３６との間に嵌め込まれ、第２突出部５６が天板本体１２と後側第１支持部材３２の第３縦板部３６との間に嵌め込まれ、第３突出部５７が天板本体１２と筐体本体２１の幅方向一方側の第２側板部２５２との間に嵌め込まれている。なお、第３突出部５７は、シンク側防塵パッド２４の上に配置されている。
【００３８】
第２パッド部材５２は、板部５４が天板本体１２の上側に配置され、第１突出部５５が天板本体１２と前側第１支持部材３１の第３縦板部３６との間に嵌め込まれ、第２突出部５６が天板本体１２と後側第１支持部材３２の第３縦板部３６との間に嵌め込まれ、第３突出部５７が天板本体１２とコンロ側パッド２８との間に嵌め込まれている。
【００３９】
第３パッド部材５３は、板部５４が天板本体１２の上側に配置され、第１突出部５５が天板本体１２と前側第１支持部材３１の第３縦板部３６との間に嵌め込まれ、第２突出部５６が天板本体１２と後側第１支持部材３２の第３縦板部３６との間に嵌め込まれている。
【００４０】
図３、図４および図８に示すように、第１桟部材６は、段ボールを幅方向に長尺となる箱状や筒状に形成した部材で、パッド部材５の板部５４の上に配置されている。第１桟部材６は、前側第１支持部材３１の第３縦板部３６および後側第１支持部材３２の第３縦板部３６のそれぞれに沿って配置されている。本実施形態では、前側と後側それぞれに第１桟部材６が３つずつ幅方向に間隔をあけて配列されている。前側に配置された第１桟部材６は、前側第１支持部材３１の第３縦板部３６と当接している。後側に配置された第１桟部材６は、後側第１支持部材３２の第３縦板部３６と当接している。
第１桟部材６の上端面は、筐体本体２１の第１側板部２５１、第２側板部２５２の上端部と略同じ高さに配置されている。
【００４１】
第２桟部材７は、前側の第１桟部材６と後側の第１桟部材６との間において前後方向に延びる箱状や筒状の部材で、段ボールで形成されている。第２桟部材７は、パッド部材５の板部５４の上に配置されている。本実施形態では、４つの第２桟部材７が幅方向に間隔をあけて配列されている。
第２桟部材７は、前端部が前側の第１桟部材６と当接し、後端部が後側の第１桟部材６と当接している。これにより、第１桟部材６が第１側板部２５１に押し付けられるとともに、その反力によって第２桟部材７が第１桟部材６に挟まれるため、第１桟部材６および第２桟部材７が筐体部２の内部で容易に動かないように構成されている。
第２桟部材７の上端面は、第１桟部材６の上端面と同様に筐体部２の第１側板部２５１、第２側板部２５２の上端部と略同じ高さに配置されている。
【００４２】
第１桟部材６および第２桟部材７の上部には、筐体本体２１の上側開閉部２７の第１上側スラップおよび第２上側フラップ２７２が重なるように構成されている。
バンド部材は、上記のように内部に天板１１が収容された筐体部２の外側を囲繞している。
【００４３】
次に、上記の梱包装置１を用いた天板１１の梱包方法について説明する。
まず、筐体部２を組み立てる。
筐体本体２１を下側開閉部２６が閉じて上側開閉部２７が開口した状態となるように組み立てる。下側開閉部２６の一対の第１フラップの上側で一対の第２フラップの間に底板を設置する。底板を粘着テープなどで第２フラップに固定する。
筐体本体２１の一対の第１側板部２５１それぞれの内側に沿って補強板２３を配置する。補強板２３を粘着テープなどで筐体本体２１に固定する。
【００４４】
続いて、第１支持部材３を筐体部２の内側に設置する。
前側第１支持部材３１を前側に配置された補強板２３の内側に配置し、後側第１支持部材３２を後側に配置された補強板２３の内側に配置する。
幅方向の一方側の第２側板部２５２と前側第１支持部材３１および後側第１支持部材３２との間にシンク側防塵パッド２４を設置する。シンク側防塵パッド２４の第１固定部を幅方向の一方側の第２側板部２５２と前側第１支持部材３１との間に挿し込み、第２固定部を幅方向の一方側の第２側板部２５２と後側第１支持部材３２との間に挿し込んで、シンク側防塵パッド２４を筐体本体２１に固定する。シンク側防塵パッド２４が筐体本体２１に固定されたら、防塵パッドの内側にシンク端部受け部材を配置する。
【００４５】
続いて、第２支持部材４を筐体部２の内部に設置する。
第２支持部材４を幅方向に間隔をあけて複数配置する。第２支持部材４を粘着テープなどで筐体部２に固定する。また、第２支持部材４の設置と前後して、コンロ側パッド２８を筐体部２の内部に設置する。
本実施形態では、第２支持部材４およびコンロ側パッド２８が配置された後に、キッチンの部品を収容する部品収容箱２９を筐体部２に収容する。部品収容箱を、第１支持部材と第２支持部材４との角部に配置し、粘着テープなどで第１支持部材および第２支持部材４に固定する。
【００４６】
続いて、天板１１を筐体部２の内部に配置し、第１支持部材および第２支持部材４の上に載置する。前側第１支持部材３１の上に天板本体１２の前垂れ部１２３の芯材１２２を当接させ、後側第１支持部材３２の上に天板本体１２の平板部１２４の芯材１２２を当接させる。
【００４７】
続いて、天板１１の上にパッド部材５を設置する。
第１パッド部材５１の板部５４を天板本体１２の上側に配置する。第１パッド部材５１の第１突出部５５を天板本体１２と前側第１支持部材３１の第３縦板部３６との間に嵌め込み、第１パッド部材５１の第２突出部５６を天板本体１２と後側第１支持部材３２の第３縦板部３６との間に嵌め込む。第１パッド部材５１の第３突出部５７を天板本体１２と筐体本体２１の幅方向一方側の第２側板部２５２との間に嵌め込む。なお、第３突出部５７は、シンク側防塵パッド２４の上に配置する。
【００４８】
第２パッド部材５２の板部５４を天板本体１２の上側に配置する。第２パッド部材５２の第１突出部５５を天板本体１２と前側第１支持部材３１の第３縦板部３６との間に嵌め込み、第２パッド部材５２の第２突出部５６を天板本体１２と後側第１支持部材３２の第３縦板部３６との間に嵌め込む。第２パッド部材５２の第３突出部５７を天板本体１２とコンロ側パッド２８との間に嵌め込む。
【００４９】
第３パッド部材５３の板部５４を天板本体１２の上側に配置する。第３パッド部材５３の第１突出部５５を天板本体１２と前側第１支持部材３１の第３縦板部３６との間に嵌め込み、第３パッド部材５３の第２突出部５６を天板本体１２と後側第１支持部材３２の第３縦板部３６との間に嵌め込む。
【００５０】
続いて、パッド部材５の上部に第１桟部材６および第２桟部材７を設置する。
筐体部２の内部における前縁部および後縁部に沿って第１桟部材を配置する。前後に配置された第１桟部材６の間に複数の第２桟部材７を幅方向に間隔をあけて配置する。
続いて、筐体本体２１の上側開閉部２７を閉じて筐体部２の外側をテープで囲繞する。
このようにして天板１１が梱包装置１に梱包される。
【００５１】
次に、上述した本実施形態による梱包装置１の作用・効果について図面を用いて説明する。
本実施形態による梱包装置１では、天板本体１２を下側から支持する第１支持部材３が幅方向に延びているため、天板本体１２が撓むことによって生じるひびや亀裂を防止することができる。
【００５２】
また、第１支持部材３の本体部３８は、幅方向に直交する断面形状が上側に尖った角部３７を有する三角形に形成されていることにより、角部３７によって天板本体１２を幅方向に延びる線状に支持することができる。また、第１支持部材３は、本体部３８の底面が筐体部２の底面と面接触するように配置されることにより、筐体部２の内部に安定して配置された状態で天板本体１２を確実に支持することができる。このように第１支持部材３が安定した状態で天板本体１２を長さ方向に延びる線状に支持することができるため、天板本体１２の撓みが確実に防止され、天板本体１２の損傷を防止することができる。
さらに、段ボールを折り曲げることで第１支持部材３を容易に形成することができる。
【００５３】
また、第１支持部材３は、芯材１２２と当接するように配置されていることにより、第１支持部材３から天板本体１２に伝達する衝撃を芯材１２２に伝達させることができる。このため、上板部１２１には第１支持部材３からの衝撃が直接伝達せず、第１支持部材から伝達する衝撃による上板部１２１の損傷を防止することができる。
特に、上板部１２１がセラミックなどの大きな撓みやゆがみによる割れが比較的生じやすい材料で形成されている場合に、上板部１２１の損傷を効率的に防止することができる。
【００５４】
また、第１支持部材３は、筐体部２の内部における幅方向の略全体に延びていることにより、第１支持部材３が天板本体１２を長手方向全体から支持することができる。このため、天板本体１２の撓みを確実に防止することができ、天板本体１２の損傷を防止することができる。
【００５５】
また、第１支持部材３は、天板本体１２の前縁部および後縁部それぞれを支持していることにより、天板本体１２の前縁部および後縁部それぞれにおいて天板本体１２の撓みを確実に防止することができ、天板本体１２の損傷を防止することができる。
【００５６】
以上、本発明による梱包装置の実施形態について説明したが、本発明は上記の実施形態に限定されるものではなく、その趣旨を逸脱しない範囲で適宜変更可能である。
例えば、上記の実施形態では、第１支持部材３は、幅方向に直交する断面形状が上側に尖った角部３７を有する三角形に形成された本体部３８を有しているが、第１支持部材３の形態は、幅方向に延びる形態であれば適宜設定されてよい。また、第１支持部材３は、段ボールで形成されているが段ボール以外の材料で形成されていてもよい。
また、梱包装置１を構成する部材の形態は、上記以外の形態でもよい。また、筐体本体２１および第１支持部材３以外の部材は、必要に応じて設ければよく、不要な場合には設けなくてもよい。
【００５７】
また、上記の実施形態では、第１支持部材３は、天板本体１２の芯材１２２と当接するように配置されているが天板本体１２の上板部１２１と当接するように配置されていてもよい。
また、上記の実施形態では、天板本体１２は、上面が作業面となる上板部１２１と、上板部１２１の裏面に貼着され上板部１２１を補強する芯材１２２と、を有する構造である。これに対し、天板本体１２は、必要な強度を有していて上面が作業面となる板状の部材のみで構成され、この板状の部材を補強するような芯材が設けられていなくてもよい。
また、上記の実施形態では、第１支持部材３は、筐体部２の内部における幅方向の略全体に延びているが、筐体部２の内部における幅方向の少なくとも一部の区間において延びる形態であってもよい。また、幅方向に延びる第１支持部材３が幅方向に複数配列されていてもよい。
また、上記の実施形態では、第１支持部材３は、天板本体１２の前縁部および後縁部それぞれを支持しているが、前縁部および後縁部のいずれか一方のみを支持していてもよい。
【００５８】
また、上記の実施形態では、天板本体１２は、前垂れ部１２３を有する形態であるが、前垂れ部１２３が設けられていなくてもよいし、後縁部にも下側に突出する後垂れ部が設けられていてもよい。
また、上記の実施形態では、梱包装置１は、天板本体１２にシンク１３が取り付けられた天板１１を梱包するように構成されているが、天板本体１２にシンク１３が取り付けられておらず天板本体１２のみで構成された天板を梱包するように構成されていてもよい。また、梱包装置１は、天板本体１２にシンク１３以外の部材が設けられた天板を梱包するように構成されていてもよい。梱包装置１は、キッチン以外の天板を梱包するように構成されていてもよい。
【符号の説明】
【００５９】
１  梱包装置
２  筐体部
３  第１支持部材（支持部材）
４  第２支持部材
１１  天板
１２  天板本体
１３  シンク
３７  角部
３８  本体部
１２１  上板部
１２２  芯材
１２３  前垂れ部
１２４  平板部
【図１】
2018165165.tif 000003
【図２】
2018165165.tif 000004
【図３】
2018165165.tif 000005
【図４】
2018165165.tif 000006
【図５】
2018165165.tif 000007
【図６】
2018165165.tif 000008
【図７】
2018165165.tif 000009
【図８】
2018165165.tif 000010